(57)【要約】【目的】電池電圧に応じて、電池電圧の測定周期を変更することを目的とする携帯機器。【構成】電池で駆動する携帯機器であって、携帯機器を駆動する電池と、前記電池の電圧を検出する検出部と、前記検出部で検出した電圧値を保持する記憶部と、前記記憶部に格納している電圧値を前回の電圧値と比較する比較部と、前期比較部の比較結果を入力とし前記タイマーに値を設定する測定周期決定部と、測定周期を設定するタイマーと、前記タイマーの測定周期を変更する制御部と、を持つことを特徴とする携帯機器。【選択図】図１
2011091940.tif 000002
【特許請求の範囲】
【請求項１】
電池で駆動する電子機器であって、
前記電子機器を駆動する電池と、
前記電池の電圧を検出する検出部と、
前記電池の電圧変動許容値と前記検出部で検出した電圧値を保持する記憶部と、
前記記憶部に格納している電圧値を前回の電圧値と比較する比較部と、
測定周期を設定するタイマーと、
ｎが２以上の整数である場合に、
前期比較部の比較結果を入力とし前記タイマーに前記ｎ個の値のいずれかを検出間隔として設定する測定周期決定部と、
を持つことを特徴とする電圧監視方法。
【請求項２】
前記比較部は、前記記憶部に格納している前回の前記電池の電圧値と今回の前記電池の電圧値を比較した結果、前記記憶部に設定してある前記電池の電圧変動許容値よりも大きいときには前記タイマーに、前記ｎ値の中で現在設定されている値以下の値を設定することによって、測定周期を短くすることを特徴とする請求項１に記載の電池電圧監視方法。
【請求項３】
前記比較部は、前記記憶部に格納している前回の前記電池の電圧値と今回の前記電池の電圧値を比較した結果、前記記憶部に設定してある前記電池の電圧変動許容値よりも小さいときには前記タイマーに、前記ｎ値の中で現在設定されている値以上の値を設定することによって、測定周期を長くすることを特徴とする請求項１に記載の電池電圧監視方法。
【発明の詳細な説明】
【技術分野】
【０００１】
本発明は、電池により駆動される携帯機器に関し、特に、放電時における電池電圧の変動が大きいときに、電池電圧の検出周期を変更する技術に関するものである。
【背景技術】
【０００２】
携帯機器に使われる電源としては、電池が多く使われており、限られた電池容量で長時間使うために様々な工夫をしている。例えば、表示装置のバックライトは、一定時間操作を行わない場合に消灯していた。
【０００３】
しかるに一定時間操作を行わないときに表示装置のバックライトを消灯しても、電池電圧を検出する間隔は常に一定であった。
【０００４】
また、電池残量の閾値を算出し、あらかじめ設定されている閾値と比較することで、電池残量を判別する技術が提案されている（特許文献１参照）。
【先行技術文献】
【特許文献】
【０００５】
【特許文献１】特開２００４−０６１３９３号公報
【発明の概要】
【発明が解決しようとする課題】
【０００６】
しかしながら、上述した従来例においては次のような問題があった。
【０００７】
つまり、従来においては、電池残量を比較するために、一定の周期で電池電圧を検出する必要があった。
【０００８】
このような手段では、電池電圧を検出するために一定の周期で検出部を起動するため、電池の残量に影響を与えることが考えられる。
【０００９】
本発明は、電池電圧の差に変動がないときに、検出部の検出周期を長くすれば、検出部の起動回数が減るため、電池の消費を減らすことを目的とする。
【課題を解決するための手段】
【００１０】
前記課題を解決するために、本発明に係る電圧監視方法は、電池で駆動する電子機器であって、前記電子機器を駆動する電池と、前記電池の電圧を検出する検出部と、前記電池の電圧変動許容値と前記検出部で検出した電圧値を保持する記憶部と、前記記憶部に格納している電圧値を前回の電圧値と比較する比較部と、測定周期を設定するタイマーと、ｎが２以上の整数である場合に、前期比較部の比較結果を入力とし前記タイマーに前記ｎ個の値のいずれかを検出間隔として設定する測定周期決定部と、を持つことを特徴とする。
【００１１】
本発明に係る電圧監視方法は、前記比較部は、前記記憶部に格納している前回の前記電池の電圧値と今回の前記電池の電圧値を比較した結果、前記記憶部に設定してある前記電池の電圧変動許容値よりも大きいときには前記タイマーに、前記ｎ値の中で現在設定されている値以下の値を設定することによって、測定周期を短くすることを特徴とする。
【００１２】
本発明に係る電圧監視方法は、前記比較部は、前記記憶部に格納している前回の前記電池の電圧値と今回の前記電池の電圧値を比較した結果、前記記憶部に設定してある前記電池の電圧変動許容値よりも小さいときには前記タイマーに、前記ｎ値の中で現在設定されている値以上の値を設定することによって、測定周期を長くすることを特徴とする。
【発明の効果】
【００１３】
本発明では、直前に検出した電池電圧値と今回検出した電池電圧値を比較し、検出値の差が小さいときには電池電圧の検出周期を長くすることで、電池の消耗を抑えることができるようになった。
【図面の簡単な説明】
【００１４】
【図１】電池残量を確認して検出周期を変更するためのブロック図
【図２】電池残量を確認して検出周期を変更するためのフローチャート
【発明を実施するための形態】
【実施例１】
【００１５】
以下、本発明の実施形態を携帯機器で説明する。
【００１６】
図１に示すように本発明の構成は、二次電池２２、二次電池２２の電池電圧を検出する検出部２４、ＡＤＣ１２と、記憶部１４と、比較部１６と、タイマー１８と、測定周期決定部２０と、ＡＤＣ１２と検出値を格納する記憶部１４と検出値を比較する比較部１６と検出周期を設定するタイマー１８と測定周期決定部２０で構成される制御部１、などを備えている。  
【００１７】
なお、制御部１にはＡＤＣ１２、記憶部１４、比較部１６、タイマー１８、測定周期決定部２０で構成されるとしたが、検出部２４や前記以外にも構成部品があることは言うまでもない。
【００１８】
図２に電池電圧の検出を開始してから検出周期を設定するまでのフローチャートを示す。電源がオンしたことを確認する（Ｓ２０１）。前回検出値をクリアーし、タイマー１８を１秒に設定する（Ｓ２０２）。電池電圧を確認し、記憶部１４へ保持する（Ｓ２０３）。今回検出値と前回検出値を比較部１６で比較する（Ｓ２０４）。検出値の差が±０．１Ｖよりも大きければＳ２０６へ、検出値の差が±０．１Ｖ以上ならＳ２０７へ行く（Ｓ２０５）。検出値の差が±０．１Ｖよりも大きければタイマー１８を１秒に設定する（Ｓ２０６）。検出値の差が±０．１Ｖ以内であればタイマー１８を１０秒に設定する（Ｓ２０７）。今回検出値を前回検出値にコピーしたら（Ｓ２０８）、Ｓ２０３へ行く。
【００１９】
なお、検出周期のタイマーを検出値の差が±０．１Ｖよりも小さいときには１０秒、検出値の差が±０．１Ｖ以上のときには１秒としたが、この数値に限定されるものではない。また、電池電圧の差が±０．１Ｖとしたが、この数値に限定されるものではない。
【００２０】
また、本実施例は検出間隔として２値の例を示したが、例えば、前記検出値の差に応じて、比較結果が大きければ大きいほど検出間隔を小さくするなど、複数の検出間隔値を設定する場合もありうる。
【００２１】
なお、本実施例では電池の種類を二次電池としたが、これに限定するものではない。また、本発明は上記実施形態に限定されるものではない。
【符号の説明】
【００２２】
１    制御部
１２  ＡＤＣ
１４  記憶部
１６  比較部
１８  タイマー
２０  測定周期決定部
２２  二次電池
２４  検出部
【図１】
2011091940.tif 000003
【図２】
2011091940.tif 000004